(57)【特許請求の範囲】
【請求項１】
内周縁がボイスコイルボビンに連結され外周縁がエッジを介してフレームに連結される振動板を有するスピーカ装置において、
前記振動板は前記内周縁と前記外周縁の間に頂部が形成されるものであり、前記内周縁及び外周縁は前記頂部に比して音響放射側に位置し、
前記振動板の音響放射側の面には、前記振動板の半径方向に延在する補強用リブが形成されることを特徴とするスピーカ装置。
【請求項２】
前記振動板及び前記補強用リブは合成樹脂により一体成型されてなることを特徴とする請求項１に記載のスピーカ装置。
【請求項３】
内周縁がボイスコイルボビンに連結され外周縁がエッジを介してフレームに連結される振動板を有するスピーカ装置において、
前記振動板は前記内周縁と前記外周縁の間に頂部が形成されるものであり、前記内周縁及び外周縁は前記頂部に比して音響放射側に位置し、
外周縁が前記フレームに連結されるとともに内周縁が磁気回路または前記フレームに連結され、前記外周縁と前記内周縁の間において前記振動板の前記頂部を支持するダンパを設けたことを特徴とするスピーカ装置。
【請求項４】
前記頂部は前記ダンパの外周縁と内周縁の中間位置において前記ダンパに固定されることを特徴とする請求項３に記載のスピーカ装置。
【発明の詳細な説明】
【０００１】
【発明の属する技術分野】
本発明は、スピーカ装置に関し、特に薄型のスピーカ装置の振動板及びその周辺構造に関するものである。
【０００２】
【従来の技術】
オーディオシステム等の音響機器に装備されるスピーカ装置はアンプからの音声信号（電気エネルギ）を音（音響エネルギ）に変換するいわゆる電気−音響変換器であり、スピーカ装置を動作原理により大別すると、動電型、静電型、圧電型、放電型、電磁型等に分けられるが、現在は、再生周波数帯域、変換効率等の諸条件を兼ね備えた動電型（ダイナミック型）が主流を占めている。
【０００３】
従来の動電型スピーカ装置の一例としていわゆるコーン形スピーカが知られている。図６はその一例であり、同図に示すように、コーン形スピーカは、例えば略円錐形状（コーン形状）の一部で形成された振動板１０１の中央部に孔が形成されていて、その孔には円筒状のボイスコイルボビン１０３が嵌合し、さらにボイスコイルボビン１０３にはその一方端側から所定幅にボイスコイル１０２が巻回されて固定されている。ボイスコイル１０２が巻回されたボイスコイルボビン１０３はその他方端近傍が振動板１０１の孔に固定されている。
【０００４】
また、振動板１０１の外周縁は、適度なコンプライアンスと剛性を兼ね備えたリング状のエッジ１０８の内周縁に固定され、エッジ１０８の外周縁は、磁気回路１０７と一体に形成されるフレーム１１２に固定される。また、ボイスコイルボビン１０３の振動板１０１が固定される部分とボイスコイルが固定される部分の間には、適度なコンプライアンスと剛性を兼ね備えたリング状のダンパ１０９の内周縁が固定され、さらに、エッジ１０８及びダンパ１０９の外周縁は、磁気回路１０７と一体に形成されるフレーム１１２にそれぞれ固定される。これにより、エッジ１０８及びダンパ１０９は、振動板１０１及びボイスコイルボビン１０３を弾性支持している。
【０００５】
また、エッジ１０８及びダンパ１０９は、ボイスコイル１０２、ボイスコイルボビン１０３を、マグネット１０４、プレート１０５、ポールヨーク１０６等で構成される磁気回路１０７の磁気ギャップ内において磁気回路１０７の各構成部分に接触することなく所定の静止位置に配置すると共に、振動板１０１を弾性支持する。
【０００６】
また、ボイスコイル１０２の両端はそれぞれ導電性を有する一対のリード線１１１の片端に接続され、さらに一対のリード線１１１のそれぞれ他方端は、フレーム１１２に設けられた一対の端子１１０に接続されている。
【０００７】
このため、端子１１０から導電性を有するリード線１１１を経てボイスコイル１０２に供給される音声電流に応じて、ボイスコイル１０２が磁気回路１０７の磁気ギャップ内において振動板１０１のピストン振動方向に沿って電磁駆動されることにより、振動板１０１を前後に振幅させて振動させる。
したがって、振動板１０１は、ピストン振動方向に沿って前方向においてはエッジ１０８が突っ張る位置まで移動可能であり後ろ方向においてはボイスコイルボビン１０３に固定されたダンパ１０９の内周縁付近がプレート１０５にぶつかる位置まで移動可能である。つまり、スピーカはこの範囲において最大振幅可能である。
【０００８】
また、センターキャップ１１３は、振動板１０１の中央部に設けられた中心孔を塞ぐ様に振動板１０１上に固着され、振動板１０１と一体に設けられることで、振動板１０１及びボイスコイル１０２の構造強度を補強し、振動板１０１及びボイスコイル１０２の分割振動を極力抑えている。
【０００９】
また、センターキャップ１１３は、振動板１０１と一体に振動するので、音響エネルギーの一部（主として高音域）の放射を担うと共に振動板１０１の形状に起因した音波の干渉を位相補正してスピーカの音響特性を調整する役割を有し、振動板１０１の中央部に設けられた中心孔に起因した音響特性の影響を、必要に応じて補正している。
【００１０】
従来のコーン形スピーカは以上のように構成されて入力される音声信号に応じてボイスコイル１０２が固定されたボイスコイルボビン１０３がピストン振動方向に沿って振動することにより振動板が前後に振動して音声信号を音響エネルギに変換して音波を放射する。
【００１１】
【発明が解決しようとする課題】
近年、スピーカ装置は、オーディオシステムの一部として単体で用いられるほか自動車のドア内や平面型の電子表示装置の筐体内、その他種々の形態を有する筐体内の狭い空間内等に取り付けて装備される場合が多い。その場合には、スピーカ装置は、限られた寸法の筐体内に取り付け易いようにその高さをできるだけ低く抑えて薄型に形成する必要がある。
【００１２】
従来のコーン形スピーカを薄型にするには、振動板の口径（振動板の外径）が同じスピーカの場合には、スピーカの高さの大半を占める振動板の高さを低く抑える必要があり、そのためには振動板がボイスコイルとなす半頂角θ（図６参照）を大きくする必要がある。
【００１３】
コーン形スピーカは、一般に、コーン形状の振動板の半頂角θが小さい程ピストン振動方向に対する剛性が増すので振動板が分割振動しにくくなり、その結果スピーカの再生周波数帯域をより高域まで拡大させることができるが、振動板の口径・材質が同じ場合は、半頂角が大きくなると振動板が分割振動しやすくなり、結果としてスピーカの再生周波数特性に乱れが生じ、再生周波数帯域（特に高域）が制限されてしまう。したがって、スピーカの高域限界再生周波数をある程度まで確保しようとすると振動板の半頂角θをあまり大きくすることができない。
【００１４】
また、上述したようにスピーカが駆動中には振動板がピストン振動方向に沿って前後に振動するので、筐体内に装備された場合にスピーカの実際の取り付け高さは振動板の振幅量を考慮した高さにする必要があるが、周知のごとくスピーカの振動板の振幅量は、例えばスピーカが無限大剛壁に取り付けられた場合にピストン振動を行う定出力領域では周波数の二乗に反比例し、スピーカの最低共振周波数付近において最大の振幅量となる。また、この振幅量はスピーカの駆動入力にほぼ比例して大きくなる。
【００１５】
したがって、限られた空間を有する筐体内において再生周波数帯域をある程度の低域まで確保するためにスピーカの最低共振周波数を低く設定しようとすると、振動板の最大振幅量をある程度大きく必要とするので、そのようなスピーカを取り付ける筐体の埋め込み部分には、スピーカの振動板が最大振幅で飛び出すことのできる空間が確保される必要があり、その分スピーカを薄型に形成する必要がある。
【００１６】
また、スピーカ自体においても振動板が最大振幅までピストン振動できるためにはダンパ１０９とプレート１０５の間隔をスピーカの最大振幅に比例して設定する必要がありその分ボイスコイルボビン１０３が高くなり、その結果スピーカの高さが高くなる。
【００１７】
また、スピーカの耐入力を大きくする場合も、大振幅が必要となるので、上述した筐体の取り付け部分の高さやボイスコイルボビン１０３の高さを必要とするが、ボイスコイルボビン１０３の高さを高くすると、電磁駆動されるボイスコイル１０２の高さ位置がダンパ１０９の内周縁の高さ位置と大きくずれてしまうので、ボイスコイル１０２、ボイスコイルボビン１０３、振動板１０１のピストン振動方向における弾性支持が不安定となり、スピーカの駆動時においていわゆるローリングが多発する。
【００１８】
ローリングが発生するとボイスコイル１０２、ボイスコイルボビン１０３が磁気ギャップ内においてプレート１０５やポールヨーク１０６に激しくぶつかったりこすれたりするので、スピーカは振動板１０１から異音を発生したり、場合によってはボイスコイル１０２が断線するおそれがある。そのため、ボイスコイルボビン１０３を高くするわりには振幅量を大きくすることができないので結果としてスピーカの耐入力を上げることができない。
【００１９】
そのため、従来では、広い再生周波数帯域や大きな耐入力を必要とするスピーカ装置では、薄型化には限界があった。
【００２０】
本発明は上述の問題点に鑑みなされたものであり、低域から高域までの広い再生周波数帯域を安定して確保すると共に、薄型に形成することのできるスピーカ装置を提供することを目的とする。
【００２１】
【課題を解決するための手段】
請求項１記載の発明は、内周縁がボイスコイルボビンに連結され外周縁がエッジを介してフレームに連結される振動板を有するスピーカ装置において、前記振動板は前記内周縁と前記外周縁の間に頂部が形成されるものであり、前記内周縁及び外周縁は前記頂部に比して音響放射側に位置し、前記振動板の音響放射側の面には、前記振動板の半径方向に延在する補強用リブが形成されることを特徴とする。
【００２２】
また、請求項２記載の発明は、請求項１に記載のスピーカ装置において、前記振動板及び前記補強用リブは合成樹脂により一体成型されてなることを特徴とする。
【００２３】
また、請求項３記載の発明は、内周縁がボイスコイルボビンに連結され外周縁がエッジを介してフレームに連結される振動板を有するスピーカ装置において、前記振動板は前記内周縁と前記外周縁の間に頂部が形成されるものであり、前記内周縁及び外周縁は前記頂部に比して音響放射側に位置し、外周縁が前記フレームに連結されるとともに内周縁が磁気回路または前記フレームに連結され、前記外周縁と前記内周縁の間において前記振動板の前記頂部を支持するダンパを設けたことを特徴とする。
【００２４】
また、請求項４記載の発明は、請求項３記載のスピーカ装置において、前記頂部は前記ダンパの外周縁と内周縁の中間位置において前記ダンパに固定されることを特徴とする。
【００２６】
【作用】
本発明は以上のように構成したので、振動板は、その内周縁と外周縁の間に形成された頂部から内周縁及び外周縁に至る各振動面が、それぞれ頂部から立ち上がるように形成される結果、内周縁側及び外周縁側の各振動面が互いに折り返されるので振動板の全高を低くすることができる。したがって、スピーカ装置を薄型に形成することができる。
【００２７】
また、振動板の内周縁側及び外周縁側が折り返されて形成されるので、振動面が補強され分割振動しにくくなる。したがって、スピーカ装置は、低域から高域までの広い再生周波数帯域を安定して確保することができる。
【００２８】
また、振動板の音響放射側の面には振動板の半径方向に延在する補強用リブを形成するようにしたので、内周縁側及び外周縁側の各振動面が補強されさらに分割振動しにくくなる。したがって、スピーカ装置は、低域から高域までの広い再生周波数帯域を安定して確保することができる。
【００２９】
また、振動板及び補強用リブを合成樹脂により一体成型して形成するようにしたので、複雑な形状を有する振動板を容易に精度良く形成することができ、これにより振動板の音響特性のばらつきを無くすことができるので、低域から高域までの広い再生周波数帯域を安定して確保することができる。
【００３０】
また、外周縁がフレームに連結されるとともに内周縁が磁気回路またはフレームに連結されるダンパの外周縁と内周縁の間において振動板の頂部を支持するようにしたので、振動板全体を内周縁又は外周縁ではなく両縁の間の位置で支持することができ、その結果ダンパは振動板をピストン振動方向に安定して支持することができ、スピーカ装置は駆動時においてローリングが発生しにくくなり、低域から高域までの広い再生周波数帯域を安定して確保することができると共に耐入力が増す。
【００３１】
また、頂部がダンパの外周縁と内周縁の中間位置においてダンパに固定されるようにしたので、１枚ダンパでボイスコイルボビンの外径よりも大きな外径で形成されたリング状の頂部を振動板の内周縁側と外周縁側から固定して支持することとなる。したがって、スピーカ装置は駆動時においてローリングが発生しにくくなり、低域から高域までの広い再生周波数帯域を安定して確保することができると共に耐入力が増す。
【００３２】
【発明の実施の形態】
次に、本発明の好適な実施形態について図をもとに説明する。
図１は、本発明の一実施形態におけるスピーカ装置Ｓの構造図であり、（ａ）はスピーカ装置Ｓの表側（音響放射側）からみた正面図であり、（ｂ）は、スピーカ装置Ｓの主要断面図である。同図に示すように、スピーカ装置Ｓは、ヨーク１、プレート２、磁石３からなる磁気回路４と、フレーム５と、ボイスコイルボビン６に巻回されたボイスコイル７と、振動板８と、エッジ９と、ダンパ１０、センターキャップ１１、リード線１２を有する。
【００３３】
磁気回路４は、ボイスコイル７を駆動させるための磁気ギャップを有し、ここでは円筒状のポール部１ａを有するヨーク１、リング状のプレート２、リング状の磁石３によってリング状の磁気ギャップを有する外磁型磁気回路で構成される。磁気ギャップは、プレート２の内側面とポール部１ａが対向する部分の空隙であり、全周に亘ってほぼ均等な間隔を有する。また、磁気回路を構成するヨーク１の外周側には、例えば合成樹脂等からなるフレーム５が一体に取り付けられ、磁気回路４がフレーム５に固定される。磁気回路４とフレーム５は磁気回路Ａｓｓｙを構成する。
【００３４】
ボイスコイル７は、電線を円筒状のボイスコイルボビン６に巻回されて形成され、ボイスコイルボビン６に固定されて少なくともその一部が磁気回路４の磁気ギャップ内に配される。
【００３５】
また、センターキャップ１１は例えばボイスコイルボビン６の内径に略等しい外径を有する球面板によって形成され、図１（ａ）に示すように該球面がボイスコイルボビン６内に突出する向きでボイスコイルボビン６上に接着剤等で固着されることにより、ボイスコイルボビン６（又は、ボイスコイルボビン６及び振動板８）に連結される。
【００３６】
また、振動板８は、例えば合成樹脂により成型され、内周縁から外周縁に至るリング状の音響放射面を有し、その内周縁はボイスコイルボビンを連結するための孔を形成する。この孔にボイスコイルボビン６が嵌装されて接着剤等によって固着されることにより振動板８の内周縁がボイスコイルボビン６の一方端に連結される。また、振動板８の外周縁にはエッジ９が取り付けられている。
【００３７】
振動板８の外周縁に取り付けられるエッジ９は、例えばリング状のいわゆるロールエッジであり、適度なコンプライアンスと剛性を兼ね備え、その内周縁が振動板８の外周縁に接着剤等によって固着されることにより振動板８に連結される。また、エッジ９の外周縁は、接着剤等によってフレーム５に固着されることによりフレーム５に連結される。以上により、振動板８の外周縁はエッジ９を介してフレーム５に連結される。したがって、エッジ９は、振動板８の外周縁を弾性支持する。
【００３８】
また、振動板８はその内周縁と外周縁の間に後述する頂部８ａが形成されていて、該頂部８ａがダンパ１０の内周縁及び外周縁の中間位置において接着剤等によって固定される。
【００３９】
ダンパ１０は、例えば布に樹脂を含浸し加熱成形された同心円状のコルゲーションを有する円形ダンパであり、適度なコンプライアンスと剛性を兼ね備え、ダンパ１０の内周縁及び外周縁がフレーム５に固定され、ダンパ１０の内周縁及び外周縁の間において頂部８ａを弾性支持する。
【００４０】
これにより、ダンパ１０は、スピーカの静止状態（スピーカが駆動されない状態）において、エッジ９と共に振動板８、センターキャップ１１、ボイスコイルボビン６、ボイスコイル７をそれぞれスピーカの所定位置において弾性支持すると共に、磁気ギャップ内に配されるボイスコイル７及びボイスコイルボビン６をポール部１ａやプレート２等の磁気回路を構成する部分に接触させない所定位置で弾性保持する。
【００４１】
また、ダンパ１０は、スピーカの駆動状態においてはセンターキャップ１１、振動板８、ボイスコイルボビン６、ボイスコイル７をピストン振動方向に沿って弾性支持する役目も担っている。
【００４２】
以上により、振動板８は、内周縁にボイスコイルボビン６を連結し、外周縁がエッジ９に支持されると共に、頂部８ａがダンパ１０の中間位置においてダンパ１０に支持される。その結果、スピーカの静止状態におけるセンターキャップ１１、振動板８、ボイスコイルボビン６は所定位置に保持されると共に、ボイスコイルボビン６に巻回されたボイスコイル７が、共に磁気回路に接触することなく磁気ギャップ内の所定位置に配される。
【００４３】
また、ボイスコイル７の両端は、それぞれボイスコイルボビン６及び振動板８に沿って引き出され、例えば振動板８の内周縁近傍において一対のリード線１２とそれぞれ電気的に接続される。
【００４４】
図２は、スピーカ装置Ｓのリード線１２の配線状態を示す図である。図のように、各リード線１２は、例えば複数の細い電線を撚り合せて形成された屈曲に強い錦糸線であり、振動板８に形成された孔１３を経由してフレームに固定された正負の入力端子１４にそれぞれ接続される。図２に示すように、リード線１２は孔１３内において孔１３に接触しないように空中配線（スタイリング）され、振動板８の振動中には、振動板８の振動に応じて孔１３と並行して移動するので、振動板８にぶつかることがなく、異音が発生しにくい。
【００４５】
スピーカ装置Ｓは、以上の構成において、入力端子１４に音声信号が入力されると、音声信号に応じた電流がリード線１２を介してボイスコイル６に供給され、その結果磁気ギャップ内のボイスコイル６が電磁駆動されるのでボイスコイルボビン６に連結されたセンターキャップ１１及び振動板８は、エッジ９及びダンパ１０に弾性支持されながらピストン振動方向に沿って駆動されるので、音声信号に応じた音響エネルギーを振動板８から音響放射する。
【００４６】
また、本実施形態では、スピーカ装置Ｓの全高を低く抑えかつ駆動状態における振動板８の分割振動を抑えるために、振動板８はさらに以下に示す構造を有する。即ち、図１に示すように、振動板８はその内周縁と外周縁の間に折り返し部分を有して形成され、折り返し部分が頂部８ａを形成する。
【００４７】
頂部８ａは、振動板８の折り返し部分の先端部分であり、図１からわかるように、振動板８は、内周縁と外周縁が頂部８ａに比して音響放射側に位置するように鋭角に折り返されて形成される。
【００４８】
図３は、振動板８の折り返し部分の拡大断面図である。同図に示すように、本実施形態における頂部８ａは、振動板８の折り返し部分に沿って振動板８の裏面（音響放射側と反対側の面）側にリング状に立設する合成樹脂からなるリブであり、振動板８と一体成型されて形成される。
【００４９】
頂部８ａは、ダンパ１０の外周縁と内周縁の中間位置において接着剤等によりダンパ１０に固定される。図３に示すように、ダンパ１０の中間位置には頂部８ａが落とし込まれるようにコルゲーションの谷部１０ａが形成されていて、頂部８ａは、谷部１０ａにおいて接着剤等によりダンパ１０に固定される。
【００５０】
この場合に、頂部８ａはリング状に立設するリブで形成されるので、谷部１０ａにおけるダンパ１０との接着面積を大きくすることができ、ダンパ１０との接着強度が増す。また、頂部８ａのリブとダンパ１０の谷部１０ａは、振動板８とダンパ１０との接着時において互いの位置だしの役目をするので、スピーカ装置を組み立てる場合に、予めダンパ１０の外周縁をフレームＡｓｓｙに固定した状態でエッジ９、ボイスコイルボビン３が連結された振動板８をダンパ１０の中間位置に容易に精度良く固定することができるので、スピーカの組み立て作業性が良好となる。
【００５１】
また、ダンパ１０は、振動板８の頂部８ａを内周縁側と外周縁側から固定して支持することとなり、１枚のダンパ１０が、その内周縁側を磁気回路４に固定された状態で振動板８の内周縁側を接着剤が流し込まれた谷部１０ａの内周寄りの部分で支持すると共に、ダンパ１０の外周縁側をフレーム５に固定された状態で振動板８の外周縁側を谷部１０ａの外周寄りの部分で支持するので、振動板８を内周縁又は外周縁ではなく、両縁の間の位置で支持することができ、振動板８をピストン振動方向に安定して弾性支持することができる。
【００５２】
また、ダンパ１０は、その内周縁と外周縁の中間位置において振動板８の頂部８ａを固定するようにしたので、振動板８の外周縁側を支持するダンパ１０の外周縁側と振動板８の内周縁側を支持するダンパ１０の内周縁側とがほぼ同じ弾性力、支持ストローク（変位）で形成される。したがって、スピーカ装置におけるダンパ１０は、その内周縁側と外周縁側がそれぞれ振動板８の内周縁側と外周縁側を別個に弾性支持してもダンパ１０の共振周波数が複雑に分散することがないので、スピーカ装置の音響特性が安定する。
【００５３】
また、図１（ａ）に示すように、振動板８の表面（音響放射側の面）には、振動板８の半径方向に沿って延在する補強用リブ８ｂが形成される。補強用リブ８ｂは例えば振動板８の表面に立設する複数の合成樹脂からなる補強板であり、各補強用リブ８ｂは、それぞれ頂部８ａと交差し且つ、振動板８の内周縁側の振動面の頂部８ａ付近と外周縁側の振動面の頂部８ａ付近とを架橋することにより振動板８の折り返し部分を補強して振動板の不要な分割振動を防いでいる。
【００５４】
本実施形態では、各補強用リブ８ｂは振動板８と共に合成樹脂により一体成型により形成される。そのため、このような複雑な構造を有する振動板８であっても容易に精度良く形成することができる。
【００５５】
振動板８は、以上の構造を有し、その内周縁から外周縁に亘る振動面が頂部８ａで折り返されて形成されるので、頂部８ａから内周縁又は外周縁までの高さが振動板８の全高となる。したがって、振動板８の全高は、同じ口径（振動板の外径）、ボイスコイル径（振動板の内周縁）を有する従来のコーン形振動板に比べて低く形成することができる。また、振動板８の折り返し部分は補強用リブ８ｂによって補強されるので、スピーカ装置Ｓの駆動時において振動板８の不要な分割振動が抑えられる。
【００５６】
スピーカ装置Ｓは以上のように構成される。したがって、スピーカ装置Ｓは振動板８の全高を低く抑えることができるので薄型に形成することができる。
また、スピーカ装置Ｓは、ボイスコイルボビン６にダンパ１０が固定されないので、ピストン振動時にダンパ１０がプレート２にぶつかることがなく、その結果スピーカ装置Ｓの最大振幅を大きくすることができると共に、ボイスコイルボビン６の全高を低くすることができるので薄型に形成することができる。
【００５７】
また、図１に示すように、振動板８の頂部８ａを弾性支持するダンパ１０の高さ位置を、電磁駆動されるボイスコイル７の高さ位置に近くすることができ、且つ、振動板８をボイスコイルボビン６の外径と同軸、且つ、ボイスコイルボビン６の外径よりも大きなリング状の頂部８ａによって支持するようにしたので、ボイスコイル７、ボイスコイルボビン６、振動板８のピストン振動方向における弾性支持が安定し、これによりスピーカ装置Ｓの駆動時においてローリングが発生しにくくなる。
【００５８】
以上により、スピーカ装置Ｓの駆動時においてボイスコイル７、ボイスコイルボビン６、振動板８は安定してピストン振動するので、振動板８がローリングが発生しにくくなり、ボイスコイル７及びボイスコイルボビン６がポール部１ａやプレート２に接触することがないので、その分スピーカ装置Ｓの耐入力が増す。
【００５９】
なお、上述した実施形態では、振動板はリング状の放射面の内周縁と外周縁の間を鋭角に折り返し、その折り返し部分に頂部を形成して構成したが、本発明における振動板はこれに限らず、例えば図４に示すその他の実施例におけるスピーカ装置Ｓ１のように、断面が椀状の曲線を有する振動面に頂部８ａと補強用リブ８ｂと同様の頂部１５ａ、補強用リブ１５ｂを共に形成する振動板１５を用いても良い。
【００６０】
また、振動板の内周縁と外周縁は必ずしも頂部８ａから同じ高さである必要はなく、例えば図５に示すその他の実施例におけるスピーカ装置Ｓ２のように、内周縁を低くした振動板１６を用いることによりボイスコイルボビンの高さをさらに低くすることができる。また、同図に示すように、センターキャップはスピーカ装置Ｓが必要とする最大振幅を阻害しないならばその球面が音響放射側に突出する向きで配置されても良い。さらに、図５に示すように、上記振動板１６と共に先に述べたエッジ９と逆向きの断面形状を有するエッジ１７を併用することにより、その分スピーカ装置の全高を低く抑えることができ、薄型に形成することができる。
【００６１】
また、リード線１２を通す振動板８の孔１３へ粘着剤等を充填してリード線１２を孔１３に対し粘着させても良い。上記粘着剤等を併用することにより、リード線１２はより確実に振動板８との接触を防ぐことができる。
【００６２】
【発明の効果】
本発明は以上のように構成したため、振動板は、その内周縁と外周縁の間に形成された頂部から内周縁及び外周縁に至る各振動面が、それぞれ頂部から立ち上がるように形成される結果、内周縁側及び外周縁側の各振動面が互いに折り返されるので振動板の全高を低くすることができる。したがって、スピーカ装置を薄型に形成することができる。
【００６３】
また、振動板の内周縁側及び外周縁側が折り返されて形成されるので、振動面が補強され分割振動しにくくなる。したがって、スピーカ装置は、低域から高域までの広い再生周波数帯域を安定して確保することができる。
【００６４】
また、振動板の音響放射側の面には振動板の半径方向に延在する補強用リブを形成するようにしたので、内周縁側及び外周縁側の各振動面が補強されさらに分割振動しにくくなる。したがって、スピーカ装置は、低域から高域までの広い再生周波数帯域を安定して確保することができる。
【００６５】
また、振動板及び補強用リブを合成樹脂により一体成型して形成するようにしたので、複雑な形状を有する振動板を容易に精度良く形成することができ、これにより振動板の音響特性のばらつきを無くすことができるので、低域から高域までの広い再生周波数帯域を安定して確保することができる。
【００６６】
また、外周縁がフレームに連結されるとともに内周縁が磁気回路またはフレームに連結されるダンパの外周縁と内周縁の間において振動板の頂部を支持するようにしたので、振動板の内周縁側及び外周縁側の各振動面を１枚のダンパでそれぞれ同軸かつ異なる半径位置において弾性支持することができ、その結果ダンパは振動板をピストン振動方向に安定して支持することができ、スピーカ装置は駆動時においてローリングが発生しにくくなり、低域から高域までの広い再生周波数帯域を安定して確保することができると共に耐入力が増す。
【００６７】
また、頂部がダンパの外周縁と内周縁の中間位置においてダンパに固定されるようにしたので、１枚ダンパでボイスコイルボビンの外径よりも大きな外径で形成されたリング状の頂部を振動板の内周縁側と外周縁側から固定して支持することとなる。したがって、スピーカ装置は駆動時においてローリングが発生しにくくなり、低域から高域までの広い再生周波数帯域を安定して確保することができると共に耐入力が増す。
【図面の簡単な説明】
【図１】本発明の一実施形態におけるスピーカ装置Ｓの構造図である。
【図２】スピーカ装置Ｓのリード線１２の配線状態を示す図である。
【図３】振動板の折り返し部分の拡大断面図である。
【図４】その他のスピーカ装置の実施例を示す図である。
【図５】その他のスピーカ装置の実施例を示す図である。
【図６】従来の動電型スピーカ装置の一例（コーン形スピーカ）を示す図である。
【符号の説明】
１・・・・・ヨーク
１ａ・・・・ポール部
２・・・・・プレート
３・・・・・磁石
４・・・・・磁気回路
５・・・・・フレーム
６・・・・・ボイスコイルボビン
７・・・・・ボイスコイル
８、１５、１６・・・・・振動板
８ａ、１５ａ、１６ａ・・・・・頂部
８ｂ、１５ｂ、１６ｂ・・・・・補強用リブ
９、１７・・・・・エッジ
１０・・・・・ダンパ
１０ａ・・・・・谷部
１１・・・・・センターキャップ
１２・・・・・リード線
１３・・・・・孔
１４・・・・・入力端子
【図１】
0003643855.tif 000002
【図２】
0003643855.tif 000003
【図３】
0003643855.tif 000004
【図４】
0003643855.tif 000005
【図５】
0003643855.tif 000006
【図６】
0003643855.tif 000007